(57)【要約】  本開示は、情報伝送方法及び端末を開示し、第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理が行われることを含む。
2022501962.tif 000002
【特許請求の範囲】
【請求項１】
第１チャネル状態情報ＣＳＩ（Ｃｈａｎｎｅｌ  Ｓｔａｔｅ  Ｉｎｆｏｒｍａｔｉｏｎ）レポートと第２ＣＳＩレポートにリソースオーバーラップが発生する場合、
前記第１ＣＳＩレポートに対応する物理チャネルが物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）であり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、
及び／又は、前記第１ＣＳＩレポートに対応する物理チャネルがＰＵＣＣＨであり、前記第２ＣＳＩレポートに対応する物理チャネルが物理上り共有チャネルＰＵＳＣＨ（Ｐｈｙｓｉｃａｌ  Ｕｐｌｉｎｋ  Ｓｈａｒｅｄ  Ｃｈａｎｎｅｌ）であり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理が行われることを含む、情報伝送方法。
【請求項２】
第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送することを更に含む、請求項１に記載の情報伝送方法。
【請求項３】
ＣＳＩレポートの優先度に基づいて、リソースオーバーラップが発生するＣＳＩレポートを伝送することは、
前記第１ＣＳＩレポート及び前記第２ＣＳＩレポートから、優先度が高い方のＣＳＩレポートを選択して伝送することを含む、請求項２に記載の情報伝送方法。
【請求項４】
前記のマルチＣＳＩ物理上り制御チャネルリソースリスト内のリソースに基づいて、リソースオーバーラップが発生するＣＳＩレポートを伝送することは、
リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送することを含む、請求項１に記載の情報伝送方法。
【請求項５】
ターゲットスロット内の全てのＣＳＩレポートを、マルチＣＳＩ物理上り制御チャネルリソースリスト内の１つのターゲットリソース上で多重化して伝送することは、
前記ターゲットリソースに設定されている最大符号化率よりも、前記ターゲットスロット内の全てのＣＳＩレポートに対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送することを含む、請求項４に記載の情報伝送方法。
【請求項６】
第１チャネル状態情報ＣＳＩレポートと第２ＣＳＩレポートにリソースオーバーラップが発生する場合、
前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送し、
及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する第１伝送モジュールを含む、端末。
【請求項７】
第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送する第２伝送モジュールを更に含む、請求項６に記載の端末。
【請求項８】
前記第２伝送モジュールは、
前記第１ＣＳＩレポート及び前記第２ＣＳＩレポートから、優先度が高い方のＣＳＩレポートを選択して伝送する、請求項７に記載の端末。
【請求項９】
前記第１伝送モジュールは、
リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送する、請求項６に記載の端末。
【請求項１０】
前記第１伝送モジュールは、
前記ターゲットリソースに設定されている最大符号化率よりも、前記ターゲットスロット内の全てのＣＳＩレポートに対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送する、請求項９に記載の端末。
【請求項１１】
メモリと、プロセッサと、メモリに格納されてプロセッサで実行可能なコンピュータプログラムとを含む端末であって、
前記コンピュータプログラムが前記プロセッサによって実行されると、請求項１〜５のいずれか１項に記載の情報伝送方法が実現される、端末。
【請求項１２】
コンピュータプログラムが格納されているコンピュータ読み取り可能な記憶媒体であって、
前記コンピュータプログラムがプロセッサによって実行されると、請求項１〜５のいずれか１項に記載の情報伝送方法が実現される、コンピュータ読み取り可能な記憶媒体。
【発明の詳細な説明】
【技術分野】
【０００１】
（関連出願の相互参照）
本願は、２０１８年９月２８日に中国特許庁に提出された中国特許出願２０１８１１１４３５５１．８の優先権を主張し、その全ての内容が援用によりここに取り込まれる。
本開示は、通信応用の技術分野に係り、特に情報伝送方法及び端末に係る。
【背景技術】
【０００２】
将来の移動通信システムは、従来の移動通信システムに比べて、より多様なシーン及びサービスニーズに適応する必要がある。ＮＲ（Ｎｅｗ  Ｒａｄｉｏ）の主なシーンは、ｅＭＢＢ（ｅｎｈａｎｃｅ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  ｏｆ  Ｃｏｍｍｕｎｉｃａｔｉｏｎ）及びＵＲＬＬＣ（Ｕｌｔｒａ−Ｒｅｌｉａｂｌｅ  Ｌｏｗ  ｌａｔｅｎｃｙ  Ｃｏｍｍｕｎｉｃａｔｉｏｎｓ）を含む。これらのシーンは、システムによっては、高信頼性、低遅延、大きい帯域幅及び広いカバレッジなどの面での要望が異なる。
【０００３】
ＣＳＩを伝送する物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）は、ハイレイヤによって設定されるものであり、周期的に送信されるか、活性化されてから周期的に送信される。開始シンボル位置及び長さが柔軟であるため、ＰＵＣＣＨと物理上り共有チャネルＰＵＳＣＨ（Ｐｈｙｓｉｃａｌ  Ｕｐｌｉｎｋ  Ｓｈａｒｅｄ  Ｃｈａｎｎｅｌ）とは時間的にオーバーラップすることがあり（ＰＵＣＣＨ及びＰＵＳＣＨが占める時間領域ＯＦＤＭシンボルの一部又は全てがオーバーラップする）、即ち２つのチャネルが時間的に衝突する。
【０００４】
異なるニーズを満たすために、ＮＲシステムでは、非周期的チャネル状態情報ＣＳＩ（Ｃｈａｎｎｅｌ  Ｓｔａｔｅ  Ｉｎｆｏｒｍａｔｉｏｎ）レポートＡ−ＣＳＩ（ａｐｅｒｉｏｄｉｃ  ＣＳＩ  ｒｅｐｏｒｔ）、ＰＵＳＣＨにおける半静的ＣＳＩレポートＳＰ−ＣＳＩ  ｏｎ  ＰＵＳＣＨ（ｓｅｍｉ−ｐｅｒｓｉｓｔｅｎｔ  ＣＳＩ  ｒｅｐｏｒｔｓ  ｏｎ  ＰＵＳＣＨ）、ＰＵＣＣＨにおける半静的ＣＳＩレポートＳＰ−ＣＳＩ  ｏｎ  ＰＵＣＣＨ（ｓｅｍｉ−ｐｅｒｓｉｓｔｅｎｔ  ＣＳＩ  ｒｅｐｏｒｔｓ  ｏｎ  ＰＵＣＣＨ）及び周期的ＣＳＩレポートＰ−ＣＳＩ（ｐｅｒｉｏｄｉｃ  ＣＳＩ  ｒｅｐｏｒｔ）の４種類の異なるタイプのＣＳＩレポートが設計されている。ＵＥにマルチＣＳＩ物理上り制御チャネルリソースリスト（ｍｕｌｔｉ−ＣＳＩ−ＰＵＣＣＨ−Ｒｅｓｏｕｒｃｅ  Ｌｉｓｔ）が設定されている場合、関連技術において、２つのＣＳＩがオーバーラップ（ｏｖｅｒｌａｐｐｉｎｇ）し且つリソースレポートのタイプｙが異なるのであれば、ＵＥは、ｏｖｅｒｌａｐｐｉｎｇのＣＳＩレポートのうち優先度が低い方を破棄する。１つのスロット（ｓｌｏｔ）内にｏｖｅｒｌａｐｐｉｎｇのＣＳＩ  ＰＵＣＣＨがあれば、ＵＥは、全てのＣＳＩレポートを、ｍｕｌｔｉ−ＣＳＩ−ＰＵＣＣＨ−Ｒｅｓｏｕｒｃｅ  Ｌｉｓｔで設定された１つのＰＵＣＣＨリソース上で多重化して伝送する。図１に示すように、１つのｓｌｏｔでは、ＵＥは、Ｐ−ＣＳＩ０、Ｐ−ＣＳＩ１、Ｐ−ＣＳＩ２及びＳＰ−ＣＳＩの４つのＣＳＩをＰＵＣＣＨ上で伝送し、それらの優先度の順番として、ＳＰ−ＣＳＩ＞Ｐ−ＣＳＩ０＞Ｐ−ＣＳＩ２になっている。ＳＰ−ＣＳＩ  ＰＵＣＣＨとＰ−ＣＳＩ０が衝突するため、ＵＥは、３８．２１４に従って、優先度が低い方のＰ−ＣＳＩ０を破棄し、Ｐ−ＣＳＩ１、Ｐ−ＣＳＩ２及びＳＰ−ＣＳＩをｍｕｌｔｉ−ＣＳＩ  ＰＵＣＣＨ  Ｒｅｓｏｕｒｃｅ上で多重化する。このシーンにおいて、Ｐ−ＣＳＩ０は、優先度がＰ−ＣＳＩ１及びＰ−ＣＳＩの優先度よりも高いものの廃棄され、優先度の低い方のＰ−ＣＳＩ１及びＰ−ＣＳＩは、伝送されるため、この際のＵＥの挙動として合理的ではない。
【０００５】
また、ＣＳＩを伝送するＰＵＣＣＨと、ＣＳＩを伝送するＰＵＳＣＨとはリソースオーバーラップが発生し、且つ異なるキャリア上で伝送される場合、ＣＳＩを如何に合理的に伝送するかについても、まだ明確な方法がない。
【発明の概要】
【発明が解決しようとする課題】
【０００６】
本開示は、ＣＳＩを伝送する物理チャネルがオーバーラップする場合に、オーバーラップのＣＳＩを如何に合理的に伝送するかという問題解決するために、情報伝送方法及び端末を提供することを目的とする。
【課題を解決するための手段】
【０００７】
第１態様として、本開示の一部実施例は、情報伝送方法を提供し、第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理が行われることを含む。
【０００８】
第２態様として、本開示の一部実施例は、端末を更に提供し、第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送し、及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する第１伝送モジュールを含む。
【０００９】
第３態様として、本開示の一部実施例は、メモリと、プロセッサと、メモリに格納されてプロセッサで実行可能なコンピュータプログラムとを含む端末を更に提供し、前記コンピュータプログラムが前記プロセッサによって実行されると、上記情報伝送方法のステップが実現される。
【００１０】
第４態様として、本開示の一部実施例は、コンピュータプログラムが格納されているコンピュータ読み取り可能な記憶媒体を更に提供し、前記コンピュータプログラムがプロセッサによって実行されると、上記リソース設定方法のステップが実現される。
【発明の効果】
【００１１】
本開示の一部実施例の上記技術手段において、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、優先度に基づいてＣＳＩレポートを破棄するのではなく、マルチＣＳＩ物理上り制御チャネルリソースリスト内のリソースに基づいて、リソースオーバーラップが発生するＣＳＩレポートを伝送することによって、オーバーラップする異なるタイプのＣＳＩレポートを端末から伝送することができ、より多くのＣＳＩレポートをＵＥからフィードバックすることに有利であり、優先度の高いＣＳＩ  ｒｅｐｏｒｔが破棄されて優先度の低いＣＳＩ  ｒｅｐｏｒｔが伝送されることを回避する。また、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送することによって、上り伝送のスループットが保証される。
【００１２】
本開示の一部実施例の技術手段をより明確に説明するために、以下、本開示の一部実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１３】
【図１】ＣＳＩリソースの第１設定図である。
【図２】本開示の一部実施例に係る情報伝送方法のフロチャートである。
【図３】ＣＳＩリソースの第２設定図である。
【図４】ＣＳＩリソースの第３設定図である。
【図５】本開示の一部実施例に係る端末のモジュール図その１である。
【図６】本開示の一部実施例に係る端末のモジュール図その２である。
【図７】本開示の一部実施例に係る端末の構造ブロック図その１である。
【図８】本開示の一部実施例に係る端末の構造ブロック図その２である。
【発明を実施するための形態】
【００１４】
以下、添付図面を参照して本開示の例示的な実施例を更に詳細に記載する。本開示の例示的な実施例を図面に示しているが、本開示は、ここで説明した実施例に限定されることなく様々な形態で実現されうることが理解されるべきである。これらの実施例を提供することは、本開示をより徹底的に理解してもらい、本開示の範囲を当業者に全面的に伝えるためである。
【００１５】
本開示の明細書及び特許請求の範囲における「含む」及び「有する」という用語ならびにそれらの任意の変形は、非排他的な包含を意図しており、例えば、一連の工程又はユニットを含むプロセス、方法、システム、製品又は装置は、必ずしも明確に列挙されたそれらの工程又はユニットに限定されるものではなく、明確に列挙されていないものや、それらのプロセス、方法、製品又は装置に固有の他の工程又はユニットを含んでもよい。本明細書及び特許請求の範囲において、「及び／又は」は、連結された対象の少なくとも１つを意味する。
【００１６】
以下の説明は、特許請求の範囲に記載された範囲、適用可能性又は設定を限定することなく例を提供する。本開示の趣旨及び範囲から逸脱することなく、論じられた要素の機能及び設定を変更することができる。様々な例は、様々な手順又はコンポネントを適切に省略、置換又は追加することができる。例えば、説明された方法は、説明されたものとは異なる順序で実行されてもよく、様々なステップが追加、省略、又は組み合わされてもよい。更に、いくつかの例で説明される特徴は、他の例において組み合わされてもよい。
【００１７】
本開示の一部実施例は、端末に応用される情報伝送方法を提供する。図２に示すように、ステップ２０１を含む。ステップ２０１において、第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）であり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、
及び／又は、前記第１ＣＳＩレポートに対応する物理チャネルがＰＵＣＣＨであり、前記第２ＣＳＩレポートに対応する物理チャネルが物理上り共有チャネルＰＵＳＣＨ（Ｐｈｙｓｉｃａｌ  Ｕｐｌｉｎｋ  Ｓｈａｒｅｄ  Ｃｈａｎｎｅｌ）であり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理が行われる。
【００１８】
例えば、１つのキャリア上でＣＳＩレポートを伝送するＰＵＣＣＨと、別のキャリア上でＡ−ＣＳＩを伝送するＰＵＳＣＨとはリソースオーバーラップが発生すると、端末は、該ＰＵＣＣＨ及びその上り制御情報ＵＣＩを破棄し、ＰＵＳＣＨ及びそのＡ−ＣＳＩのみを伝送する。上記ＰＵＣＣＨは、具体的にはＰ−ＣＳＩ又はＳＰ−ＣＳＩのみを伝送し、又は、Ｐ−ＣＳＩ又はＳＰ−ＣＳＩを伝送するほか、更にスケジューリング要求ＳＲ（ｓｃｈｅｄｕｌｉｎｇ  ｒｅｑｕｅｓｔ）を伝送する。
【００１９】
ここで、リソースオーバーラップは、時間領域でのオーバーラップを含む。上記リソースオーバーラップが発生することは、具体的には２つのＣＳＩレポートの伝送リソースが時間領域でオーバーラップすることを指す。即ち２つのＣＳＩレポートに対応する伝送リソースは、時間領域で少なくとも１つのシンボルがオーバーラップする。
【００２０】
本開示の一部実施例におけるＣＳＩレポートは、非周期的ＣＳＩレポート、ＰＵＳＣＨにおける半静的ＣＳＩレポート、周期的ＣＳＩレポート及びＰＵＣＣＨにおける半静的ＣＳＩレポートのうちの少なくとも１つを含む。
【００２１】
ここで、非周期的ＣＳＩレポート及びＰＵＳＣＨにおける半静的ＣＳＩレポートは、いずれもＤＣＩによってスケジューリングされて、又はトリガされてＰＵＳＣＨ上で伝送され、ＰＵＣＣＨにおける半静的ＣＳＩレポート及び周期的ＣＳＩレポートは、メディアアクセス制御ＭＡＣ（Ｍｅｄｉａ  Ａｃｃｅｓｓ  Ｃｏｎｔｒｏｌ）によってトリガされて又は無線リソース制御ＲＲＣ（Ｒａｄｉｏ  Ｒｅｓｏｕｒｃｅ  Ｃｏｎｔｒｏｌ）によって設定されてＰＵＣＣＨ上で伝送される。各々のＣＳＩ  ｒｅｐｏｒｔは、１つのＣＳＩレポート優先度に対応し、異なるタイプのＣＳＩ  ｒｅｐｏｒｔは、異なるｙ値に対応する。
【００２２】
また、本開示の一部実施例において、多種類のフォーマットのＰＵＣＣＨがサポートされる。ここで、ＣＳＩレポートを伝送可能なＰＵＣＣＨフォーマット（ｆｏｒｍａｔ）は、ＰＵＣＣＨ  ｆｏｒｍａｔ  ２、ｆｏｒｍａｔ  ３、ｆｏｒｍａｔ  ４がある。ｆｏｒｍａｔ  ２の長さは、１つ又は２つの直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであり、１つのスロット（ｓｌｏｔ）内の開始シンボルが第１〜１４個のシンボル位置をとる。Ｆｏｒｍａｔ  ３又は４の長さは、４〜１４個のシンボルであり、ＰＵＣＣＨは、１つのｓｌｏｔ内の開始シンボルが第１〜１０個のシンボル位置にある。物理上り共有チャネルＰＵＳＣＨ（Ｐｈｙｓｉｃａｌ  Ｕｐｌｉｎｋ  Ｓｈａｒｅｄ  Ｃｈａｎｎｅｌ）についても、例えば１〜１４個のＯＦＤＭシンボルなど、異なるシンボル長さをサポートし、１つのｓｌｏｔ内の開始シンボルが第１〜１４個のシンボル位置をとることができる。
【００２３】
上記第１ＣＳＩレポートに対応する物理チャネルがＰＵＣＣＨであることは、ハイレイヤによって、第１ＣＳＩレポートに関連するＰＵＣＣＨリソースを設定することであり、必ずしも実際にＣＳＩレポートを伝送するＰＵＣＣＨリソースとは限らない。
【００２４】
ここで、伝送するＣＳＩレポートのリソースオーバーラップが発生するＰＵＣＣＨは、同一ＰＵＣＣＨグループ（ｇｒｏｕｐ）内のＰＵＣＣＨであり、同一ＰＵＣＣＨグループ内のＰＵＣＣＨは、１つのキャリア上でしか伝送できず、即ちプライマリセル（Ｐｃｅｌｌ）上で伝送される。
【００２５】
ここで、ＰＵＣＣＨで伝送するＣＳＩレポートにリソースオーバーラップが発生すると、衝突が発生するＣＳＩレポートが同一タイプであるか、それとも異なるタイプであるかにかかわらず、リソースオーバーラップが発生するＣＳＩレポートを、マルチＣＳＩ物理上り制御チャネルリソースリスト内の１つのリソース上で多重化して伝送する。
【００２６】
本開示の一部実施例に係る情報伝送方法において、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、優先度に基づいてＣＳＩレポートを破棄するではなく、マルチＣＳＩ物理上り制御チャネルリソースリスト内のリソースに基づいて、リソースオーバーラップが発生するＣＳＩレポートを伝送することによって、オーバーラップする異なるタイプのＣＳＩレポートを端末から伝送することができ、より多くのＣＳＩレポートをＵＥからフィードバックすることに有利であり、優先度の高いＣＳＩ  ｒｅｐｏｒｔが破棄されて優先度の低いＣＳＩ  ｒｅｐｏｒｔが伝送されることを回避する。また、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送することによって、上り伝送のスループットが保証される。
【００２７】
更に、本開示の一部実施例に係る情報伝送方法において、第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送することを更に含む。
【００２８】
具体的には、前記第１ＣＳＩレポート及び前記第２ＣＳＩレポートから、優先度が高い方のＣＳＩレポートを選択して伝送する。
【００２９】
ここで、リソースオーバーラップが発生するＣＳＩレポートに対応する物理チャネルがＰＵＣＣＨである場合、マルチＣＳＩ物理上り制御チャネルリソースリストが設定されていないのであれば、リソースオーバーラップが発生する２つのＣＳＩレポートから、優先度が高い方のＣＳＩレポートを選択して伝送し、優先度が低い方のＣＳＩレポートを破棄する。
【００３０】
更に、上記ステップ２０１において、マルチＣＳＩ物理上り制御チャネルリソースリスト内のリソースに基づいて、リソースオーバーラップが発生するＣＳＩレポートを伝送することは、リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送することを含む。
【００３１】
ここのターゲットリソースは、マルチＣＳＩ物理上り制御チャネルリソースリスト内の１つのリソースである。
【００３２】
ここのターゲットスロット内の全てのＣＳＩレポートは、ターゲットスロット内でリソース衝突が発生するＣＳＩレポート及びリソース衝突が発生しないＣＳＩレポートを含む。前記ＣＳＩレポートは、Ｐ−ＣＳＩであってもよいし、ＳＰ−ＣＳＩ  ｏｎ  ＰＵＣＣＨであってもよい。
【００３３】
更に、前記ターゲットリソースに設定されている最大符号化率よりも、前記ターゲットスロット内の全てのＣＳＩレポートが前記ターゲットリソース上で伝送される時に対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送する。
【００３４】
例えば、各ＣＳＩレポートにＣＳＩ  ｐａｒｔ  １とＣＳＩ  ｐａｒｔ  ２の２つの部分を含み、且つＣＳＩ  ｐａｒｔ  ２の優先度がＣＳＩ  ｐａｒｔ  １の優先度よりも低い。前記ターゲットリソースに設定されている最大符号化率よりも、ターゲットスロット内の全てのＣＳＩレポートに対応する符号化率が大きい場合、まず優先度が低いＣＳＩレポートのＣＳＩ  ｐａｒｔ  ２を破棄し、それから優先度が高いＣＳＩレポートのＣＳＩ  ｐａｒｔ  ２を破棄し、続いて優先度が低いＣＳＩレポートのＣＳＩ  ｐａｒｔ  １を破棄する。
【００３５】
以下、本開示の一部実施例の実現プロセスを、具体的な実施例を通じて説明する。
【００３６】
実施例１
図３に示すように、プライマリセル（Ｐｃｅｌｌ）でＰ−ＣＳＩ又はＳＰ−ＣＳＩ  ｏｎ  ＰＵＣＣＨを伝送するように端末を設定し、同時に別のセカンダリセル（Ｓｃｅｌｌ）にＰＵＳＣＨ伝送が行われ、ＰＵＣＣＨがコンポーネントキャリア０（ＣＣ０）上で伝送され、ＰＵＳＣＨがＣＣ１上で伝送され、且つ該ＰＵＳＣＨに対応する上りグラント（ＵＬ  ｇｒａｎｔ）によって１つのＡ−ＣＳＩ  ｒｅｐｏｒｔをトリガし、ＰＵＣＣＨとＰＵＳＣＨ伝送とは時間領域でオーバーラップすると、ＵＥは、ＰＵＣＣＨ及びそのＣＳＩ  ｒｅｐｏｒｔを破棄し、ＰＵＳＣＨ及びそのＡ−ＣＳＩのみを伝送する。
【００３７】
実施例２
図１に示すように、１つのｓｌｏｔ内でＰ−ＣＳＩ０、Ｐ−ＣＳＩ１、Ｐ−ＣＳＩ２及びＳＰ−ＣＳＩ  ｏｎ  ＰＵＣＣＨの４つのＣＳＩを伝送するようにＵＥを設定し、対応する優先度の順番として、ＳＰ−ＣＳＩ＞Ｐ−ＣＳＩ０＞Ｐ−ＣＳＩ１＞Ｐ−ＣＳＩ２になっている。ここで、Ｐ−ＣＳＩ１とＰ−ＣＳＩ２が存在するリソースは、時間領域でオーバーラップがあり、Ｐ−ＣＳＩ０とＳＰ−ＣＳＩ  ｏｎ  ＰＵＣＣＨが存在するリソースは、時間領域でオーバーラップがあり、Ｐ−ＣＳＩ１及びＰ−ＣＳＩ２いずれも、ＳＰ−ＣＳＩ  ｏｎ  ＰＵＣＣＨとが存在するリソースは、オーバーラップがない。同時にＵＥには、マルチＣＳＩ物理上り制御チャネルリソースリスト（ｍｕｌｔｉ−ＣＳＩ−ＰＵＣＣＨ−Ｒｅｓｏｕｒｃｅ  Ｌｉｓｔ）が設定されている。この場合、ＵＥは、該ｓｌｏｔ内の全てのＣＳＩ  ｒｅｐｏｒｔｓ（ＳＰ−ＣＳＩ  ｏｎ  ＰＵＣＣＨ、Ｐ−ＣＳＩ０、Ｐ−ＣＳＩ１及びＰ−ＣＳＩ２を含む）をマルチＣＳＩ物理上り制御チャネルリソースリストで設定される１つのＰＵＣＣＨリソース上で多重化する。該ＰＵＣＣＨリソースの最大符号化率を超えると、ＵＥは、優先度に従って一部のＣＳＩ  ｒｅｐｏｒｔｓを破棄する。
【００３８】
実施例３
図４に示すように、１つのｓｌｏｔ内でＰ−ＣＳＩ又はＳＰ−ＣＳＩ  ｏｎ  ＰＵＣＣＨを伝送するようにＵＥを設定し、対応する優先度の順番として、ＳＰ−ＣＳＩ＞Ｐ−ＣＳＩになっている。且つＰ−ＣＳＩとＳＰ−ＣＳＩが存在するリソースは、時間領域でオーバーラップがあり、同時にＵＥにはｍｕｌｔｉ−ＣＳＩ−ＰＵＣＣＨ−Ｒｅｓｏｕｒｃｅ  Ｌｉｓｔが設定されている。この場合、ＵＥは、該ｓｌｏｔ内の全てのＣＳＩ  ｒｅｐｏｒｔｓ（ＳＰ−ＣＳＩ及びＰ−ＣＳＩを含む）を、ｍｕｌｔｉ−ＣＳＩ−ＰＵＣＣＨ−Ｒｅｓｏｕｒｃｅ  Ｌｉｓｔで設定される１つのＰＵＣＣＨリソース上で多重化する。該ＰＵＣＣＨリソースの最大符号化率を超えると、ＵＥは、優先度に従って一部のＣＳＩ  ｒｅｐｏｒｔｓを破棄する。
【００３９】
本開示の一部実施例に係る情報伝送方法において、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、優先度に基づいてＣＳＩレポートを破棄するのではなく、マルチＣＳＩ物理上り制御チャネルリソースリスト内のリソースに基づいて、リソースオーバーラップが発生するＣＳＩレポートを伝送することによって、オーバーラップする異なるタイプのＣＳＩレポートを端末から伝送することができ、より多くのＣＳＩレポートをＵＥからフィードバックすることに有利であり、優先度の高いＣＳＩ  ｒｅｐｏｒｔが破棄されて優先度の低いＣＳＩ  ｒｅｐｏｒｔが伝送されることを回避する。また、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送することによって、上り伝送のスループットが保証される。
【００４０】
図５は、本開示の一部実施例に係る端末のモジュール図である。図５に示すように、本開示の実施例に係る端末５００は、第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送し、及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する第１伝送モジュール５０１を含む。
【００４１】
なお、図５に示す端末の構造ブロック図は、単に本開示の一部実施例に係る端末の１つの概略図であり、本開示の一部実施例に係る端末は、第１伝送モジュール及び第２伝送モジュールの少なくとも１つを含む。
【００４２】
更に、図６に示すように、本開示の一部実施例に係る端末は、第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送する第２伝送モジュール５０２を更に含む。
【００４３】
本開示の一部実施例に係る端末において、前記第２伝送モジュールは、前記第１ＣＳＩレポート及び前記第２ＣＳＩレポートから、優先度が高い方のＣＳＩレポートを選択して伝送する。
【００４４】
本開示の一部実施例に係る端末において、前記第１伝送モジュールは、リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送する。
【００４５】
本開示の一部実施例に係る端末において、前記第１伝送モジュールは、前記ターゲットリソースに設定されている最大符号化率よりも、前記ターゲットスロット内の全てのＣＳＩレポートに対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送する。
【００４６】
本開示の一部実施例に係る端末は、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、優先度に基づいてＣＳＩレポートを破棄するではなく、マルチＣＳＩ物理上り制御チャネルリソースリスト内のリソースに基づいて、リソースオーバーラップが発生するＣＳＩレポートを伝送することによって、オーバーラップする異なるタイプのＣＳＩレポートを端末から伝送することができ、より多くのＣＳＩレポートをＵＥからフィードバックすることに有利であり、優先度の高いＣＳＩ  ｒｅｐｏｒｔが破棄されて優先度の低いＣＳＩ  ｒｅｐｏｒｔが伝送されることを回避する。また、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送することによって、上り伝送のスループットが保証される。
【００４７】
本開示の実施例は、メモリと、プロセッサと、メモリに格納されてプロセッサで実行可能なコンピュータプログラムとを含む端末を更に提供し、前記コンピュータプログラムが前記プロセッサによって実行されると、上記情報伝送方法の各プロセスが実現され、且つ同一の技術効果を奏することができる。重複を避けるために、ここでは繰り返して記載しない。
【００４８】
本開示の実施例は、コンピュータプログラムが格納されているコンピュータ読み取り可能な記憶媒体を更に提供し、前記コンピュータプログラムがプロセッサによって実行されると、上記実施例に係る情報伝送方法の各プロセスが実現され、且つ同一の技術効果を奏することができる。重複を避けるために、ここでは繰り返して記載しない。ここで、前記コンピュータ読み取り可能な記憶媒体は、例えば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【００４９】
上記目的をよりよく実現するために、図７に示すように、本開示の実施例は、メモリ７２０と、プロセッサ７００と、トランシーバ７１０と、ユーザインタフェース７３０と、バスインタフェースと、メモリ７２０に格納されてプロセッサ７００で実行可能なコンピュータプログラムを含む端末を更に提供する。前記プロセッサ７００は、メモリ７２０からプログラムを読み取ることによって以下のプロセスを実行する。第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理を実行する。
【００５０】
ここで、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットを提供する。ユーザ端末によっては、ユーザインタフェース７３０は、必要な機器と内部接続や外部接続するインタフェースであってもよい。接続する機器は、キーパッド、ディスプレイ、スピーカ、マイクロフォン、ジョイスティックなどを含むが、それらに限られない。
【００５１】
プロセッサ７００は、バスアーキテクチャと通常の処理を管理する。メモリ７２０は、プロセッサ７００による処理実行に使用されるデータを記憶できる。
【００５２】
任意に、前記プロセッサ７００は、メモリ７２０からプログラムを読み取ることによって、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていない場合、ＣＳＩレポートの優先度に基づいて、リソースオーバーラップが発生するＣＳＩレポートを伝送することを実行する。
【００５３】
任意に、前記プロセッサ７００は、メモリ７２０からプログラムを読み取ることによって、第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送することを実行する。
【００５４】
任意に、前記プロセッサ７００は、メモリ７２０からプログラムを読み取ることによって、リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送する。
【００５５】
任意に、前記プロセッサ７００は、メモリ７２０からプログラムを読み取ることによって、前記ターゲットリソースに設定されている最大符号化率よりも、前記ターゲットスロット内の全てのＣＳＩレポートに対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送する。
【００５６】
本開示の一部実施例に係る端末は、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、優先度に基づいてＣＳＩレポートを破棄するではなく、マルチＣＳＩ物理上り制御チャネルリソースリスト内のリソースに基づいて、リソースオーバーラップが発生するＣＳＩレポートを伝送することによって、オーバーラップする異なるタイプのＣＳＩレポートを端末から伝送することができ、より多くのＣＳＩレポートをＵＥからフィードバックすることに有利であり、優先度の高いＣＳＩ  ｒｅｐｏｒｔが破棄されて優先度の低いＣＳＩ  ｒｅｐｏｒｔが伝送されることを回避する。また、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送することによって、上り伝送のスループットが保証される。
【００５７】
図８は、本開示の各実施例を実現する端末のハードウェア構造図である。該端末８００は、ラジオ周波数ユニット８０１と、ネットワークモジュール８０２と、音声出力ユニット８０３と、入力ユニット８０４と、センサ８０５と、表示ユニット８０６と、ユーザ入力ユニット８０７と、インタフェースユニット８０８と、メモリ８０９と、プロセッサ８１０と、電源８１１などのコンポネントを含むが、これらに限定されない。図８に示される端末の構造は、端末を限定するものではなく、端末は、図示されるよりも多い又は少ないコンポネント、又は特定のコンポネントの組み合わせ、又は異なるコンポネントの配置を含むことができることを、当業者は理解可能である。本開示の一部実施例において、端末は、携帯電話、タブレットパソコン、ノートパソコン、パームトップパソコン、車載端末、ウェアラブルデバイス及び歩数計などを含むが、それらに限定されない。
【００５８】
ここで、プロセッサ８１０は、第１チャネル状態情報ＣＳＩレポートと第２ＣＳＩレポートにリソースオーバーラップが発生する場合、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理を実行する。
【００５９】
本開示の一部実施例の上記技術手段において、前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、優先度に基づいてＣＳＩレポートを破棄するではなく、マルチＣＳＩ物理上り制御チャネルリソースリスト内のリソースに基づいて、リソースオーバーラップが発生するＣＳＩレポートを伝送することによって、オーバーラップする異なるタイプのＣＳＩレポートを端末から伝送することができ、より多くのＣＳＩレポートをＵＥからフィードバックすることに有利であり、優先度の高いＣＳＩ  ｒｅｐｏｒｔが破棄されて優先度の低いＣＳＩ  ｒｅｐｏｒｔが伝送されることを回避する。また、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送することによって、上り伝送のスループットが保証される。
【００６０】
なお、本開示の一部実施例において、ラジオ周波数ユニット８０１は、情報の送受信又は通話中で信号の送受信に用いられ、具体的に、ネットワーク機器から下りデータを受信した後、プロセッサ８１０による処理に供し、また、上りデータをネットワーク機器に送信する。一般に、ラジオ周波数ユニット８０１は、アンテナ、少なくとも１つの増幅器、トランシーバ、結合器、低雑音増幅器、デュプレクサなどを含むが、それらに限定されない。また、ラジオ周波数ユニット８０１は、無線通信システムを介してネットワークや他の機器と通信を行うこともできる。
【００６１】
端末は、ネットワークモジュール８０２を介して、電子メールの送受信、ウェブページの閲覧、ストリーミングメディアへのアクセスを支援するなど、無線ブロードバンドインターネットアクセスをユーザに提供する。
【００６２】
音声出力ユニット８０３は、ラジオ周波数ユニット８０１やネットワークモジュール８０２が受信した音声データや、メモリ８０９に記憶された音声データを音声信号に変換して音声として出力することができる。また、音声出力ユニット８０３は、端末８００が実行する特定の機能に関する音声（例えば、呼出信号着信音、メッセージ着信音等）を出力してもよい。音声出力ユニット８０３は、スピーカ、ブザー及びレシーバなどを含む。
【００６３】
入力ユニット８０４は、音声や動画の信号を受信することに用いられる。入力ユニット８０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）８０４１と、マイク８０４２とを含む。処理された画像フレームは、表示ユニット８０６上に表示される。グラフィックスプロセッサ８０４１で処理された画像フレームは、メモリ８０９（又は他の記憶媒体）に記憶されるか、又はラジオ周波数ユニット８０１又はネットワークモジュール８０２を介して送信される。マイク８０４２は、音声を受信し、音声データに加工することができる。処理された音声データは、電話通話モードの場合、ラジオ周波数ユニット８０１を介して移動通信ネットワーク機器に送信可能な形式に変換して出力することができる。
【００６４】
端末８００は、光センサ、モーションセンサ及び他のセンサのような少なくとも１つのセンサ８０５を更に含む。具体的には、光センサは、周辺光センサ及び近接センサを含む。周辺光センサは、周辺光の明暗に応じて表示パネル８０６１の輝度を調節し、近接センサは、端末８００が耳に移動したときに表示パネル８０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ８０５は、指紋センサ、圧力センサ、虹彩センサ、分子センサ、ジャイロスコープ、気圧計、湿度計、温度計、赤外線センサなどを更に含むことができるが、ここでは枚挙しない。
【００６５】
表示ユニット８０６は、ユーザが入力した情報やユーザに提供した情報を表示するために用いられる。表示ユニット８０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル８０６１を含んでもよい。
【００６６】
ユーザ入力ユニット８０７は、数字や文字情報の入力を受け付け、端末のユーザ設定や機能制御に関するキー信号の入力を生成することに用いられる。具体的に、ユーザ入力ユニット８０７は、タッチパネル８０７１と、その他の入力機器８０７２とを含む。タッチパネル８０７１は、タッチスクリーンとも呼ばれ、その上又は付近でのユーザのタッチ操作を収集可能である（例えばユーザが指やスタイラスなどの任意の適切な物体や付属部材を用いたタッチパネル８０７１の上又はタッチパネル８０７１の付近での操作）。タッチパネル８０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ８１０に送り、プロセッサ８１０からの命令を受信して実行する。なお、タッチパネル８０７１は、抵抗膜式、静電容量式、赤外線、表面弾性波など、種々の方式を用いて実現することができる。ユーザ入力ユニット８０７は、タッチパネル８０７１の他に、他の入力機器８０７２を含んでもよい。具体的に、他の入力機器８０７２は、物理的なキーボード、機能キー（例えば、音量調節キー、スイッチキーなど）、トラックボール、マウス、レバーを含むが、ここでは枚挙しない。
【００６７】
更に、タッチパネル８０７１は、表示パネル８０６１に重ねられる。タッチパネル８０７１は、その上又はその近くでタッチ操作を検出すると、プロセッサ８１０に送信して、タッチイベントのタイプを特定する。次いで、プロセッサ８１０は、タッチイベントのタイプに応じて、対応する視覚的出力を表示パネル８０６１に提供する。図８では、タッチパネル８０７１と表示パネル８０６１は、独立した２つの部品として端末の入出力機能を実現するが、実施例によっては、タッチパネル８０７１と表示パネル８０６１を一体化して端末の入出力機能を実現することもでき、具体的にここでは限定しない。
【００６８】
インタフェースユニット８０８は、外部装置と端末８００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェースユニット８０８は、外部装置から入力（例えば、データ情報、電力など）を受信し、受信した入力を端末８００内の１つ以上の要素に伝送するために使用されてもよく、又は端末８００と外部装置との間でデータを伝送するために使用されてもよい。
【００６９】
メモリ８０９は、ソフトウェアプログラム及び様々なデータを格納するために使用される。メモリ８０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ８０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００７０】
プロセッサ８１０は、端末の制御センタであり、各種インタフェースや回線を用いて端末全体の各部を接続し、メモリ８０９に格納されたソフトウェアプログラム及び／又はモジュールを実行、メモリ８０９に格納されたデータを呼び出して端末の各種機能及びデータ処理を実行し、端末全体の監視を行う。プロセッサ８１０は、１つ以上の処理ユニットを含んでもよい。任意選択で、プロセッサ８１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ８１０に統合されなくてもよいことが理解される。
【００７１】
端末８００は、各設定要素に電力を供給するためのバッテリのような電源８１１を更に含んでもよい。選択可能に、電源８１１は、電源管理システムを介してプロセッサ８１０に論理的に接続されてもよく、電源管理システムを介して充電、放電、及び消費電力管理などを管理する機能を実現してもよい。
【００７２】
また、端末８００は、図示しない機能モジュールを更に含んでもよく、ここでの説明は省略する。
【００７３】
なお、本明細書において、「含む」や「含有する」又はそれ以外のあらゆる変形用語は、非排他的な包含を意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【００７４】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワーク機器など）に実行させるいくつかの指令を含む。
【００７５】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、全て本開示の保護範囲に含まれる。
【図１】
2022501962.tif 000003
【図２】
2022501962.tif 000004
【図３】
2022501962.tif 000005
【図４】
2022501962.tif 000006
【図５】
2022501962.tif 000007
【図６】
2022501962.tif 000008
【図７】
2022501962.tif 000009
【図８】
2022501962.tif 000010
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
第１チャネル状態情報ＣＳＩ（Ｃｈａｎｎｅｌ  Ｓｔａｔｅ  Ｉｎｆｏｒｍａｔｉｏｎ）レポートと第２ＣＳＩレポートにリソースオーバーラップが発生する場合、
前記第１ＣＳＩレポートに対応する物理チャネルが物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）であり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送する処理、
及び／又は、前記第１ＣＳＩレポートに対応する物理チャネルがＰＵＣＣＨであり、前記第２ＣＳＩレポートに対応する物理チャネルが物理上り共有チャネルＰＵＳＣＨ（Ｐｈｙｓｉｃａｌ  Ｕｐｌｉｎｋ  Ｓｈａｒｅｄ  Ｃｈａｎｎｅｌ）であり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する処理が行われることを含む、情報伝送方法。
【請求項２】
第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送することを更に含む、請求項１に記載の情報伝送方法。
【請求項３】
ＣＳＩレポートの優先度に基づいて、リソースオーバーラップが発生するＣＳＩレポートを伝送することは、
前記第１ＣＳＩレポート及び前記第２ＣＳＩレポートから、優先度が高い方のＣＳＩレポートを選択して伝送することを含む、請求項２に記載の情報伝送方法。
【請求項４】
前記のマルチＣＳＩ物理上り制御チャネルリソースリスト内のリソースに基づいて、リソースオーバーラップが発生するＣＳＩレポートを伝送することは、
リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送することを含む、請求項１に記載の情報伝送方法。
【請求項５】
ターゲットスロット内の全てのＣＳＩレポートを、マルチＣＳＩ物理上り制御チャネルリソースリスト内の１つのターゲットリソース上で多重化して伝送することは、
前記ターゲットリソースに設定されている最大符号化率よりも、前記ターゲットスロット内の全てのＣＳＩレポートに対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送することを含む、請求項４に記載の情報伝送方法。
【請求項６】
第１チャネル状態情報ＣＳＩレポートと第２ＣＳＩレポートにリソースオーバーラップが発生する場合、
前記第１ＣＳＩレポートに対応する物理チャネルが物理上り制御チャネルＰＵＣＣＨであり、前記第２ＣＳＩレポートに対応する物理チャネルがＰＵＣＣＨであり、且つマルチＣＳＩ物理上り制御チャネルリソースリストが設定されていると、マルチＣＳＩ物理上り制御チャネルリソースリスト内のリソースに基づいて、リソースオーバーラップが発生するＣＳＩレポートを伝送し、
及び／又は、前記第１ＣＳＩレポートに対応する物理チャネルがＰＵＣＣＨであり、前記第２ＣＳＩレポートに対応する物理チャネルが物理上り共有チャネルＰＵＳＣＨであり、且つＰＵＣＣＨ及びＰＵＳＣＨが異なるキャリア上で伝送されると、ＰＵＣＣＨ及びＰＵＣＣＨに運ばれているＣＳＩレポートを破棄し、ＰＵＳＣＨ及びＰＵＳＣＨに運ばれているＣＳＩレポートを伝送する第１伝送モジュールを含む、端末。
【請求項７】
第１チャネル状態情報ＣＳＩレポートと第２ＣＳＩレポートにリソースオーバーラップが発生する場合、第１ＣＳＩレポートに対応する物理チャネルがＰＵＣＣＨであり、且つ前記第２ＣＳＩレポートに対応する物理チャネルがＰＵＣＣＨであり、且つマルチＣＳＩ物理上り制御チャネルリソースリストが設定されていないのであれば、ＣＳＩレポートの優先度に基づいて、リソースオーバーラップが発生するＣＳＩレポートを伝送する第２伝送モジュールを更に含む、請求項６に記載の端末。
【請求項８】
前記第２伝送モジュールは、
前記第１ＣＳＩレポート及び前記第２ＣＳＩレポートから、優先度が高い方のＣＳＩレポートを選択して伝送する、請求項７に記載の端末。
【請求項９】
前記第１伝送モジュールは、
リソースオーバーラップが発生するＣＳＩレポートが存在するスロットであるターゲットスロット内の全てのＣＳＩレポートを、マルチＣＳＩ物理上り制御チャネルリソースリスト内の１つのターゲットリソース上で多重化して伝送する、請求項６に記載の端末。
【請求項１０】
前記第１伝送モジュールは、
前記ターゲットリソースに設定されている最大符号化率よりも、前記ターゲットスロット内の全てのＣＳＩレポートに対応する符号化率が大きい場合、ＣＳＩレポートの優先度に基づいて、一部のＣＳＩレポートを破棄し、前記ターゲットスロット内の廃棄されないＣＳＩレポートを、前記ターゲットリソース上で多重化して伝送する、請求項９に記載の端末。
【請求項１１】
コンピュータプログラムが格納されているコンピュータ読み取り可能な記憶媒体であって、
前記コンピュータプログラムがプロセッサによって実行されると、請求項１〜５のいずれか１項に記載の情報伝送方法が実現される、コンピュータ読み取り可能な記憶媒体。
【国際調査報告】
2022501962.tif 000011
2022501962.tif 000012
2022501962.tif 000013
2022501962.tif 000014